【事件の表示】
　特許第３１１１７４３号「蛍光ランプ及びその製造方法」の請求項１ないし４に係る特許に対する特許異議の申立てについて、次のとおり決定する。
【結　論】
　訂正を認める。
　特許第３１１１７４３号の請求項１ないし３に係る特許を維持する。
【理　由】
１．手続の経緯
　本件特許第３１１１７４３号の手続きの経緯の概要は以下の通りである。
　平成５年５月６日　　　　　特許出願
　平成１２年９月２２日　　　特許権の設定の登録
　平成１２年１１月２７日　　特許掲載公報発行
　平成１３年５月２５日　　　小川シズより特許異議の申立て
　平成１３年１月１日付　　　取消理由通知
　平成１４年１月１０日　　　意見書及び訂正請求書提出
　平成１４年８月２８日付　　取消理由通知
　平成１４年１１月８日　　　平成１４年１月１０日付け訂正請求の取下げ
　平成１４年１１月８日　　　意見書及び訂正請求書提出
　
２．訂正の適否
２−１．訂正事項
　訂正を請求する事項は、次のとおりである。
訂正事項ａ
　特許請求の範囲の請求項１に「印加する蛍光ランプ」とあるのを、「印加する容量結合式の蛍光ランプ」と訂正する。
訂正事項ｂ
　特許請求の範囲の請求項１に「４００乃至７６０Ｔｏｒｒ用いたことを特徴とする」とあるのを、「４００乃至７６０Ｔｏｒｒ用い、キセノンのエキシマによる紫外線を用いて蛍光体を励起させることを特徴とする」と訂正する。
訂正事項ｃ
　特許請求の範囲の請求項４を削除する。
訂正事項ｄ
　発明の名称に「蛍光ランプ及びその製造方法」とあるのを、「蛍光ランプ」と訂正する。
訂正事項ｅ
　明細書段落【００２４】中に「この発明は、以上説明したように構成されているので、」とあるのを、「この発明は、内壁に蛍光体を有し、外壁に一対の電極を有する透明な誘電体容器の内部に放電ガスを封入し、上記電極に高周波電圧を印加する容量結合式の蛍光ランプにおいて、以上説明したように構成されているので、」と訂正する。
訂正事項ｆ
　明細書段落【００２５】中に「混合ガスを使用したので、放電開始電圧、輝度等の特性を変えることなく高いガス圧を封入することができて」とあるのを、「混合ガスを４００乃至７６０Ｔｏｒｒ封入して使用したので、キセノンが最も電離電圧、励起電圧が低いため、キセノンのみが選択的に励起されて紫外線を放射し、キセノン単独の場合とあまり変わらない電圧で点灯し、ほぼ同じ輝度が得られる。またランプ内部と外部の圧力が近いため、誘電体容器に加わる圧力が小さく破損しにくい。
　また、希ガスのうちネオンやヘリウムはキセノンに比べて原子量がかなり小さいため、キセノンとの衝突による影響が少なく、大量に封入しても放電に必要な電圧や輝度に殆ど影響せず、さらに、キセノンを２０〜２００Ｔｏｒｒとしたので、輝度を低下することなく、高いガス圧を封入することができて」と訂正する。
　
２−２．新規事項追加の有無、訂正の目的の適否、及び特許請求の範囲の実質上の拡張又は変更の存否
(１)訂正事項ａ及び訂正事項ｂは、それぞれ本件明細書の段落【００１６】にある「この放電の特徴について詳しく説明する。電圧は誘電体であるガラスバルブを介して、すなわち外部電極と放電ガスの容量結合によりランプ内部に印加される。」及び同段落【０００５】にある「このようなガラスバルブの内部に希ガスを封入し、外壁に外部電極を設けた蛍光ランプは、電極間の放電によりガラスバルブ内側の電極表面に希ガスのエキシマ（ｅｘｃｉｍｅｒ）が発生し、そのエキシマから放射される紫外線によって蛍光体が励起され可視光線が照射することが分かっている。」との記載に基づき、蛍光ランプの放電方式を特定するものであるから、これらの訂正は、いずれも願書に添付された明細書又は図面に記載されていた事項の範囲内の訂正であって、特許請求の範囲の減縮を目的とするものであり、また、実質上特許請求の範囲を拡張し又は変更するものでもない。
(２)訂正事項ｃは、製造方法に係る発明が記載された「請求項４」を削除するものであるから、願書に添付された明細書又は図面に記載されていた事項の範囲内の訂正であって、特許請求の範囲の減縮を目的とするものであり、また、実質上特許請求の範囲を拡張し又は変更するものでもない。
(３)訂正事項ｄは、上記訂正事項ｃによる請求項４の削除に伴い、特許請求の範囲の記載と発明の名称の整合を図るためのものであり、また、訂正事項ｅは、上記訂正事項ａ及びｂによる特許請求の範囲の記載と発明の詳細な説明の項の記載との整合を図るためのものであるから、いずれの訂正も、願書に添付された明細書又は図面に記載されていた事項の範囲内の訂正であって、明りょうでない記載の釈明を目的とするものであり、また、実質上特許請求の範囲を拡張し又は変更するものでもない。
(４)訂正事項ｆは、本件明細書の段落【００１１】〜【００１２】にある「上記のように構成された蛍光ランプは、キセノンが最も電離電圧、励起電圧が低いため、キセノンのみが選択的に励起されて紫外線を放射し、キセノン単独の場合とあまり変わらない電圧で点灯し、ほぼ同じ輝度が得られる。またランプ内部と外部の圧力が近いため、誘電体容器に加わる圧力が小さく破損しにくい。またネオンやヘリウムはキセノンに比べて原子量がかなり小さいため、キセノンとの衝突による影響が少ないため、大量に封入しても放電に必要な電圧や輝度に殆ど影響しない。」及び【００１９】にある「混合ガスを用いることによって放電に必要な電圧を上げることなく、また輝度を低下させることなく全体の圧力を大幅に増加可能である。ただしキセノンの圧力が、あまりに低いと十分な輝度が得られないため最低２０Ｔｏｒｒ程度必要である。またキセノンの圧力が２００Ｔｏｒｒ程度で、輝度が飽和するため、それ以下の圧力がよい。」との記載に基づき、発明の詳細な説明における【発明の効果】の欄に、発明の効果を追記するものであるから、該訂正は、願書に添付された明細書又は図面に記載されていた事項の範囲内の訂正であって、明りょうでない記載の釈明を目的とするものであり、また、実質上特許請求の範囲を拡張し又は変更するものでもない。
　
２−３．訂正の適否の結論
　以上のとおりであるから、上記訂正請求は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．特許異議申立について
３−１．本件発明
　前述のとおり、本件明細書の訂正請求は認められるので、本件発明は、訂正請求書に添付された全文訂正明細書の特許請求の範囲の請求項１ないし３に記載された次のとおりのものである。以下、それぞれ「本件発明１」ないし「本件発明３」という。
【請求項１】内壁に蛍光体を有し、外壁に一対以上の電極を有する透明な誘電体容器の内部に放電ガスを封入し、上記電極に高周波電圧を印加する容量結合式の蛍光ランプにおいて、上記放電ガスとしてキセノンを含む希ガスからなる混合ガスを４００乃至７６０ｔｏｒｒ用い、キセノンのエキシマによる紫外線を用いて蛍光体を励起させることを特徴とする蛍光ランプ。
【請求項２】上記混合ガスはネオンまたはヘリウムを含むことを特徴とす
る請求項１記載の蛍光ランプ。
【請求項３】上記キセノンは２０乃至２００Ｔｏｒｒであることを特徴と
する請求項１または２記載の蛍光ランプ。」
　
３−２．特許異議申立の理由及び取消理由の概要
(１)特許異議申立人小川シズは、
甲第１号証：特開平５−８２１０１号公報
甲第２号証：特開平２−２５６１９７号公報
甲第３号証：特開平２−２８８１５３号公報
甲第４号証：特開昭４９−２２０７７号公報
を提出して、
　訂正前の請求項１ないし４に係る発明は、甲第１号証ないし甲第４号証に記載された発明に基づいて当業者が容易に発明をすることができたものであって、特許法第２９条第２項の規定により、特許を受けることができないものであるから、訂正前の請求項１ないし４に係る特許を取り消すべき旨主張する。
(２)当審で通知した平成１３年１１月１日付取消理由の概要は、訂正前の請求項１ないし４に係る発明は、下記の先願明細書に記載された発明と同一であり、訂正前の請求項１ないし４に係る発明の発明者が該先願明細書に記載された発明の発明者と同一であるとも、また、本件特許の出願時の出願人と該先願明細書に係る出願の出願人とが同一であるとも認められないから、特許法第２９条の２の規定により特許を受けることができないものである、というものである。
　　　　　　　　　　　　　　　　　記
先願明細書：特願平３−２７８１１８号（特開平５−１２１０５０号）の願　　　　　　書に最初に添付した明細書又は図面
　
３−３．甲号各証及び先願明細書に記載された発明
甲第１号証：
(1a)「内部に放電用媒体が封入された容器と、上記容器内部の放電空間を励起するように設けられ、所定の電圧が印加される単一もしくは複数の面状電極対とを備え、上記面状電極対の互いに対向する一方の端縁間の相互距離を他方の端縁間の相互距離よりも短くしたことを特徴とする放電ランプ。」（特許請求の範囲の請求項１）に関し、
(1b)「請求項１３記載の画像表示装置であって、上記希ガスはキセノンであることを特徴とする放電ランプ」（同請求項１４）、
(1c)発光の原理について、「誘電体であるガラスを介して放電が行われるため、誘電体により電流が制限されたグロー放電からアーク放電といった形態へ発展しない。また特定の場所に放電が集中せず、外部電極に面したガラスバルブ内面全体から放電が発生する。ガラスの厚みなどが一定で誘電体としての特性が一様であれば、外部電極に面したガラスバルブ内面での電流密度は一様になるので、発生する紫外線の密度もほぼ一様になり、可視光の発生もほぼ一様になる。このためランプ表面の輝度分布はほぼ均一になる。また電流は印加した電圧の極性が反転した直後にのみ流れ、それ以外ではガラスバルブ内面に電荷が蓄積されることにより電流が停止する。このためランプにはパルス状の電流が流れる。なお、内部の放電状態を詳細に観測すると外部電極に面したランプ内面全体がほぼ一様な光に覆われており、さらに対面した電極との間を結ぶ細い糸状の放電がほぼ一定間隔に多数、縞状に発生しているのが見られる。内部に希ガスを封入した場合、このような放電により、まず希ガス原子が電子との衝突により共鳴準位へ励起される。この共鳴準位の励起原子は、希ガスの圧力が高いためにほかの基底準位の希ガス原子と衝突を起こして２原子分子のエキシマ（excimer）を形成する。このエキシマは紫外線を放射して２個の基底準位の希ガス原子に戻る。エキシマの放射した紫外線は原子の共鳴紫外線のように自己吸収を起こさないために、そのほとんどがランプの内壁に達して蛍光体によって可視光に変換される。つまり、エキシマによる発光の場合、より明るい光が得られる。また、希ガスとしてキセノンを用いた場合、内部に電極を設けたグロー放電型のランプでは１４７nmのキセノンの共鳴紫外線が多いのに対し、この蛍光ランプでは約１７０nmのエキシマの放射する紫外線が主体である。紫外線の波長が長いことは蛍光体の発光効率や劣化の点でも有利である。」（段落【００２２】参照）、
(1d)封入ガス圧について、「図２は、ガラスバルブ２内の封入ガス圧とランプ効率の関係を示したものである。ランプ効率は輝度を電力で割った値から求められる。この図から封入ガス圧が低くなると急激に効率が低下することがわかる。これはこのランプの発光がエキシマの発生する紫外線によるものであり、エキシマの発生は希ガス原子間の衝突によるものであるため、封入ガス圧が低いとエキシマが形成される確率が低くなるためと考えられる。細い糸状の放電が見られるのは３０Torr以上であり、それより低い圧力では放電がグロー放電のように広がり、希ガスの原子スペクトルである近赤外線の放射が強くなる。エキシマの効率的な発生とその発光の利用という点から、封入ガス圧は３０Torr以上が望ましい。」（段落【００２６】参照）
と記載され、
(1e)実施例１として、「ガラスバルブ２の内部には希ガスであるキセノンが７０Torr封入されている。」（段落【００２０】参照）
(1f)実施例１８として、「上記実施例ではランプ内にキセノンを封入した場合について述べたが、クリプトン、アルゴン、ネオン、ヘリウムなど他の希ガス、２種類以上の希ガスを混合したもの、あるいは他の放電用媒体を封入してもよい。」（段落【００６２】参照）
と記載されている。
　
甲第２号証：
(2a)「内面に螢光体層が形成され、両端に一対の電極を有するガラスバルブの内部に１０Torr以上２００Torr以下のキセノンガスを封入してなる希ガス放電螢光ランプと、この希ガス放電螢光ランプの両電極間に周波数４ＫＨｚ以上２００ＫＨｚ以下の半波整流電圧を供給する点灯装置とからなることを特徴とする希ガス螢光ランプ装置」（特許請求の範囲第１項）に関し、
(2b)キセノンガス封入圧力について、「第２図より、この発明による第１図の実施例のものは、ランプ効率向上の効果を有し、また、ランプ効率向上の効果は、キセノンガス封入圧力に依存することがわかる。第２図より、最大の効果が得られるのはキセノンガス封入圧力が数十Ｔｏｒｒの領域であり、通常の高周波点灯に対するこの発明の効率向上の顕著な効果は１０Ｔｏｒｒから２００Ｔｏｒｒの間で得られることがわかる。」（第３頁左上欄第５〜１３行）、
(2c)封入ガスについて、「キセノンは、希ガスの中でも最も電離電圧、励起電圧が低いので封入ガスとして他の希ガスを混合しても、同様にキセノンによる発光を得ることができる。」（第３頁右下欄第６〜９行）
と記載されている。
　
甲第３号証：
(3a)「細い中空をなすバルブの外表面に少なくとも１つの外部電極を軸方向に沿って設けるとともに、このバルブの一端を封止切りした低圧放電灯において、上記バルブの封止先端部は、外面と内面の間に肉厚部を形成したことを特徴とする低圧放電灯。」（特許請求の範囲）に関し、
(3b)「第４図は、一端に既に内部電極３を封装し、かつ内面にけい光体被覆５を形成した（第４図では図示を省略する）ガラスバルブ２を示し、このバルブ２は他端が図示しない排気マシンに接続され、この排気マシンでバルブ２を排気し、かつこの排気マシンでキセノン、またはクリプトンの少なくとも１種からなる放電ガスを所定圧、例えば２０torr程度封入される。この状態でバルブ２の封止予定箇所をガスバーナなどのヒータ３０により加熱する。ヒータ３０による加熱でバルブ２の封止予定箇所が軟化すると、第５図に示すように、バルブ２の両端を軸方向に互いに反対側へ引く。これによりバルブ２の軟化部は次第に細くなり、ガラス壁がくっついてこの部分でバルブ２を閉止し、さらに引き伸ばされた後、第６図に示すように切断させる。」（第４頁右上欄下から第８行〜左下欄第９行）
と記載されている。
　
甲第４号証：
(4a)「電離しうるガスを保持するよう包囲され点孤、維持及び消孤の状態与えるためのパワー手段を具備する容量メモリ型ガス放電装置において、装置内におかれた固体誘電体手段と、該誘電体手段により分離されて装置内におかれた少くとも１対の電力導体と、電気導体をパワー手段へつなぐ手段とよりなるガス放電装置。」（特許請求の範囲第１項）に関し、
(4b)「ガス圧の使用しうる範囲は約３００〜１０００トルであり、大気圧が最適に近く、これは又ガラス又は他の包囲体に対して低応力係数を与える。」（第６頁左下欄下から第４〜末行）
と記載されている。
  
先願明細書
(ａ)「少なくとも一面側が透光性を有する面状セルと２枚の面状電極とを備え、前記面状セル内にはＨｅ，Ａｒ，Ｎｅ，Ｘｅ，Ｋｒのうちの少なくとも一つと必要に応じて加えられる金属蒸気が常圧で封入されていて、前記２枚の面状電極は両電極間にガス封入空間の少なくとも一部が介在するようにして面状セルに面方向を揃えて対向設置されている面状発光体。」に関し、
(ｂ)面状セルについて、「具体的には、透明ガラス製のセルや透明樹脂製のセルが挙げられる。」（段落【０００６】）
(ｃ)面状セル内に封入されるガス及び封入圧力について、「Ｈｅ，Ａｒ，Ｎｅ，Ｘｅ，Ｋｒなどのガスが挙げられ、これらを単独あるいは複数併用のかたちで常圧で封入するようにする。必要に応じて金属蒸気（例えば、水銀蒸気）も常圧で封入されているようであってもよい。常圧近傍の圧力で安定したグロー放電が得られることは、特開平１−３０６５８９号公報、特開平２−１５１７１号公報に記載されている。発明者らは、前記の課題を解決するにあたって、様々な角度から検討を行い、従来、基材の表面処理や薄膜形成に使われていた常圧近傍で生起する希ガスのグロー放電に着目し、さらに検討を続けた結果、この発明を完成させることが出来たのである。なお、この発明で言う常圧は、０．９ａｔｍ〜１．１ａｔｍの範囲である。」（段落【０００７】）
(ｄ)「２枚の面状電極は、２枚ともセル内側に設置されていてもよいし、２枚ともセル外側に設置されていてもよく、あるいは、１枚がセル内側に他の一枚がセル外側に設置されているようであってもよい。普通、２枚の電極は平行に対面しており、平行電極を構成している。この発明の面状電極を発行動作させる場合、２枚の電極の一方を接地（アース）し、他方にｋＨｚ〜ＭＨｚオーダーの高周波電圧を印加してグロープラズマを生起させるようにする。」（段落【０００８】）
(ｅ)「さらに、この発明における面状セルの内面には必要に応じて蛍光物質層が設けられる。蛍光物質（例えば、亜鉛と酸化亜鉛の混合物など）をセルの内面に塗布するようにするのである。」（段落【００１０】）
(ｆ)「実施例４の面状発光体は、面状セル１の内部にＨｅガスとＸｅガスを容積比で９：１で封入するようにした他は、実施例１と同じ構成である。」（段落【００２２】）
と記載されている。
　
３−４．当審の判断
３−４−１．第２９条第２項違反について
３−４−１−１．本件発明１について
（対比）
　本件発明１と、甲第１号証に記載された発明を対比する。
　摘記事項(1c) から明らかなように、甲第１号証に記載された発明における放電ランプも、内壁に蛍光体を有し、外壁に一対以上の電極を有する透明な誘電体容器の内部に放電ガスを封入し、上記電極に高周波電圧を印加する容量結合式の蛍光ランプであって、エキシマによる紫外線を用いて蛍光体を励起させるものである。
　また、甲第１号証には、「実施例１８」として、「上記実施例ではランプ内にキセノンを封入した場合について述べたが、クリプトン、アルゴン、ネオン、ヘリウムなど他の希ガス、２種類以上の希ガスを混合したもの、あるいは他の放電用媒体を封入してもよい。」（摘記事項(1f)参照）との記載があることから明らかなように、本件発明１と甲第１号証記載の発明（特に実施例１８）は、放電ガスとして「希ガスからなる混合ガス」を用いる点では一致している。
　よって、両者は、
「内壁に蛍光体を有し、外壁に一対以上の電極を有する透明な誘電体容器の内部に放電ガスを封入し、上記電極に高周波電圧を印加する容量結合式の蛍光ランプにおいて、上記放電ガスとして希ガスからなる混合ガスを用い、希ガスのエキシマによる紫外線を用いて蛍光体を励起させることを特徴とする蛍光ランプ。」
である点で一致し、以下の点で相違している。
相違点ア
　「希ガスからなる混合ガス」について、本件発明１では、「キセノンを含む」としているのに対し、甲第１号証記載の発明では単に「２種以上の混合ガス」としており、混合ガスの１つに「キセノン」を含むことについては明記されていない点。
相違点イ
　「希ガスからなる混合ガス」の封入圧について、本件発明１では、「４００乃至７６０ｔｏｒｒ」としているのに対し、甲第１号証記載の発明では、封入ガス圧は「３０Ｔｏｒｒ以上が望ましい。」というだけで、「４００乃至７６０ｔｏｒｒ」という特定はされていない点。
（相違点についての判断）
　以下、これらの相違点について検討する。
相違点アについて：
　本件明細書における従来技術の説明（特に特開平３−２２５７４５号公報に関す記載）においても述べられているとおり、内壁に蛍光体を有し、外壁に一対以上の電極を有する透明な誘電体容器の内部に放電ガスを封入し、上記電極に高周波電圧を印加する容量結合式の蛍光ランプにおいて、放電ガスとしてキセノンを主体とする希ガスを用いることは、本件出願前に既に周知であり、甲第１号証の請求項１４、及び実施例１８以外の実施例においては、放電ガスとしてキセノンを用いることが記載されている。
　よって、刊行物１には、直接的な記載がないものの、当業者であれば、該刊行物に記載された「２種類上の希ガスを混合したもの」には、当然に「キセノンガス」が含まれると解するのが至当である。
　よって、相違点アについては、実質的な相違はない。
　
相違点イについて：
　甲第２号証には、「キセノンガス封入圧力が１０Ｔｏｒｒから２００Ｔｏｒｒの間で効率の向上の効果が得られる」（摘記事項(2b)参照）こと、及び「キセノンは、希ガスの中でも最も電離電圧、励起電圧が低いので封入ガスとして他の希ガスを混合しても、同様にキセノンによる発光を得ることができる」（摘記事項(2c)参照）ことが記載されている。
　しかしながら、甲第２号証記載の発明の希ガス放電蛍光ランプは、内部に電極を設けた型の希ガス放電ランプであるのに対し、甲第１号証記載の発明における放電ランプは、外壁に一対以上の電極を有する透明な誘電体容器の内部に放電ガスを封入して該電極に高周波電圧を印加する容量結合式の蛍光ランプであって、希ガスのエキシマによる紫外線を用いて蛍光体を励起させるものである。
　すなわち、甲第１号証記載の発明と甲第２号証記載の発明とでは、発光の原理が異なるものであるから、当業者といえども、甲第２号証記載の発明における技術的事項を、甲第１号証記載の発明に直ちに適用し得るとすることはできない。
　さらに、摘記事項(2c)の記載だけでは、甲第２号証記載の発明において、他の希ガスを混合する場合、ガス封入圧力が１０〜２００Ｔｏｒｒのキセノンガスに他の希ガスを加えて、封入圧力をより高くするのか、あるいは、キセノンガスに他の希ガスを加えても、封入圧力は１０〜２００Ｔｏｒｒのままである（すなわち、他の混合ガスを分圧として加える）のかは、明確ではない。
　また、甲第３号証記載の発明及び甲第４号証記載の発明は、いずれも、甲第１号証に記載されたような、外壁に一対以上の電極を有する透明な誘電体容器の内部に放電ガスを封入して該電極に高周波電圧を印加する容量結合式の蛍光ランプに関するものではなく、希ガスのエキシマによる紫外線を用いて蛍光体を励起させるものではない。
　よって、甲第１号証乃至甲第４号証に記載された発明に組み合わせても、本件発明１の相違点イに係る構成を導き出すことはできないから、本件発明１は、甲第１ないし４号証に記載された発明に基づいて当業者が容易に発明をすることができたものではない。
　
３−４−１−２．本件発明２及び本件発明３に係る発明について
　本件発明２及び本件発明３は、本件発明１における発明の構成に、更に、構成を付加するものであるから、前項に記載したと同じ理由で、本件発明２及び本件発明３も、甲第１ないし４号証に記載された発明に基づいて容易に発明をすることができたものではない。
　
３−４−２．第２９条の２違反について
３−４−２−１．本件発明１について
　先願明細書には、内壁に蛍光体を有し、外壁に一対以上の電極を有する透明な誘電体容器の内部に放電ガスとして希ガスを封入して、放電ガスの圧力を常圧とすることが記載されている。
　しかしながら、本件発明１は、「容量結合式の蛍光ランプ」であって、「キセノンのエキシマによる紫外線を用いて蛍光体を励起させる」ものであるのに対し、先願明細書記載の発明は、「電極間のグロー放電、グロープラズマを利用した」放電装置である点で相違している。
　よって、本件発明１が、先願明細書に記載された発明であるとすることはできない。
　
３−４−２−２．本件発明２及び本件発明３に係る発明について
　本件発明２及び本件発明３は、本件発明１における発明の構成に、更に、構成を付加するものであるから、前項に記載したと同じ理由で、本件発明２及び本件発明３も、先願明細書に記載された発明ではない。
　
４．むすび
　以上のとおりであるから、特許異議の申立ての理由及び証拠によっては本件の請求項１ないし３に係る特許を取り消すことはできない。
　また、他に本件の請求項１ないし３に係る特許を取り消すべき理由を発見しない。
　よって、結論のとおり決定する。
【異議決定日】
平成１４年１２月２６日（２００２．１２．２６）
【訂正の要旨】
訂正の要旨
▲１▼訂正事項ａ
発明の名称に、「蛍光ランプ及びその製造方法」とあるのを、特許請求の範囲との整合を図るため、「蛍光ランプ」と訂正する。
▲２▼訂正事項ｂ
　特許請求の範囲の請求項１に、
「内壁に蛍光体を有し、外壁に一対以上の電極を有する透明な誘電体容器の内部に放電ガスを封入し、上記電極に高周波電圧を印加する蛍光ランプにおいて、上記放電ガスとしてキセノンを含む希ガスからなる混合ガスを４００乃至７６０Ｔｏｒｒ用いたことを特徴とする蛍光ランプ。」
とあるのを、特許請求の範囲の減縮を目的として、
「内壁に蛍光体を有し、外壁に一対以上の電極を有する透明な誘電体容器の内部に放電ガスを封入し、上記電極に高周波電圧を印加
する容量結合式の
い、キセノンのエキシマによる紫外線を用いて蛍光体を励起させること
　また、特許請求の範囲の請求項４を特許請求の範囲の減縮を目的として、削除する。
　これに伴い、特許請求の範囲と発明の詳細な説明の記載との整合を図るため、明瞭でない記載の釈明を目的として、特許明細書の【００２４】第２行に「この発明は、以上説明したように構成されているので、」とあるのを「この発明は、
内壁に蛍光体を有し、外壁に一対以上の電極を有する透明な誘電体容器の内部に放電ガスを封入し、上記電極に高周波電圧を印加する容量結合式の蛍光ランプにおいて、
さらに、特許請求の範囲と発明の詳細な説明の記載との整合を図るため、明瞭でない記載の釈明を目的として、特許明細書の【００２５】第１〜２行に「混合ガスを使用したので、放電開始電圧、輝度等の特性を変えることなく、高いガス圧を封入することができて」とあるのを「混合ガス
を４００乃至７６０Ｔｏｒｒ封入して使用したので、キセノンが最も電離電圧、励起電圧が低いため、キセノンのみが選択的に励起されて紫外線を放射し、キセノン単独の場合とあまり変わらない電圧で点灯し、ほぼ同じ輝度が得られる。またランプ内部と外部の圧力が近いため、誘電体容器に加わる圧力が小さく破損しにくい。
　
また、希ガスのうちネオンやヘリウムはキセノンに比べて原子量がかなり小さいため、キセノンとの衝突による影響が少なく、大量に封入しても放電に必要な電圧や輝度に殆ど影響せず、さらに、キセノンを２０乃至２００Ｔｏｒｒとしたので、輝度を低下することなく、
（５４）【発明の名称】
蛍光ラン
プ
（５７）【特許請求の範囲】
　【請求項１】　内壁に蛍光体を有し、外壁に一対以上の電極を有する透明な誘電体容器の内部に放電ガスを封入し、上記電極に高周波電圧を印加
する容量結合式の
い、キセノンのエキシマによる紫外線を用いて蛍光体を励起させること
　【請求項２】　上記混合ガスはネオンまたはヘリウムを含むことを特徴とする請求項１記載の蛍光ランプ。
　【請求項３】　上記キセノンは２０乃至２００Ｔｏｒｒであることを特徴とする請求項１または２記載の蛍光ランプ
。
【発明の詳細な説明】
　【０００１】
　【産業上の利用分野】
　この発明は、ファクシミリ、複写機、イメージリーダなどの情報機器に利用される原稿照明用や、大型ディスプレイ装置、電光掲示板などの表示装置に利用される表示用蛍光ランプに関するものである。
　【０００２】
　【従来の技術】
　近年、ファクシミリ、複写機、イメージリーダなどの情報機器の原稿照明用光源や、大型カラーディスプレイ装置などの表示用光源として蛍光ランプが用いられている。これらの用途ではランプに対してより小型、高輝度、長寿命で、かつ信頼性が高いことが求められている。従来の蛍光ランプはランプ内部に電極を有することから多くの制約を受けており、そのためランプ内部に電極を持たない蛍光ランプが考えられている。
　【０００３】
　図５（ａ）、（ｂ）及び（ｃ）は、例えば特開平３−２２５７４５号公報に示された外部電極を持った従来の蛍光ランプを示す斜視図、断面図及びその点灯装置を示す回路図であり、図において、１は従来の蛍光ランプ、２は内部にキセノンガスを主体とした希ガスを封入した直管状のガラスバルブ、３はガラスバルブ２の内面に形成された蛍光体層、４はランプ内で発生した光をランプ外に照射する光出力部、５ａ及び５ｂは光出力部４に沿う両側に、アルミ箔からなり、所定の幅員でガラスバルブ２の外壁にほぼ全長に亘って密着し、互いに対向して配設された帯状の外部電極、６は外部電極５ａ、５ｂを含めたガラスバルブ２上に被覆されたシリコンレジンの透明な絶縁性被膜である。７はガラスバルブ２の両端を気密に封止した封着ガラスである。また、８は従来の蛍光ランプ１を点灯する高周波点灯回路、９は高周波点灯回路８を介して外部電極５ａ、５ｂに接続され、所定の高周波電圧を印加する交流電源である。
　【０００４】
　外部電極５ａ及び５ｂに高周波点灯回路７より、正弦波交流電圧を印加すると、外部電極５ａ、５ｂに挟まれたガラスバルブ２の内部空間に、キセノンガスの放電を生じ、このキセノンガスの放電により紫外線が発生し、ガラスバルブ２の内面に形成した蛍光体層３を励起して可視光線を発生し、光出力部４よりランプ外に照射する。
　【０００５】
　また我々の研究では、このようなガラスバルブの内部に希ガスを封入し、外壁に外部電極を設けた蛍光ランプは、電極間の放電によりガラスバルブ内側の電極部表面上に希ガスのエキシマ（ｅｘｃｉｍｅｒ）が発生し、そのエキシマから放射される紫外線によって蛍光体が励起され可視光線が照射することが分かっている。また、効率よく、より高輝度を得るには、外部電極面積を大きくし、電極間距離を短くすればよいことが分っていて、このような蛍光ランプが特願平４−２３６５３号に示されている。
　【０００６】
　【発明が解決しようとする課題】
　上記のような従来の蛍光ランプは、誘電体であるガラスバルブを介して外部電極間で放電を行うので、ガラスバルブは薄い方がよい。しかしガラスバルブを薄くするとバルブ内部の圧力と大気圧との圧力差のため破損し易い。また端部の封止加工に時間がかかり、製造が容易でない。
　【０００７】
　この発明は上記のような問題点を解消するためになされたもので、ガラスバルブが薄くても破損しにくい蛍光ランプを得ることを目的にする。また、端部の非発光部分が小さく、製造が容易な蛍光ランプを得ることを目的とする。
　【０００８】
　【課題を解決するための手段】
　この発明に係わる蛍光ランプにおいては、内壁に蛍光体を有し、外壁に１対以上の導電体を有する透明な誘電体容器にキセノンを２０〜２００Ｔｏｒｒ含む希ガスの混合ガスを４００〜７６０Ｔｏｒｒ封入したものである。
　【０００９】
　また、キセノン以外の希ガスとしてネオンまたはヘリウムを混合したものである。
　【００１０】
　また、ガスを導入したのち、誘電体容器の導入部を加熱溶融して封じるようにしたものである。
　【００１１】
　【作用】
　上記のように構成された蛍光ランプは、キセノンが最も電離電圧、励起電圧が低いため、キセノンのみが選択的に励起されて紫外線を放射し、キセノン単独の場合とあまり変わらない電圧で点灯し、ほぼ同じ輝度が得られる。またランプ内部と外部の圧力が近いため、誘電体容器に加わる圧力が小さく破損しにくい。
　【００１２】
　またネオンやヘリウムはキセノンに比べて原子量がかなり小さいため、キセノンとの衝突による影響が少ないため、大量に封入しても放電に必要な電圧や輝度に殆ど影響しない。
　【００１３】
　また周囲の圧力と差が小さいため加熱溶融したした際の誘電体容器の変形が小さい。
　【００１４】
　【実施例】
実施例１．
　以下、この発明の一実施例を図を用いて説明する。図１において、１はこの発明の蛍光ランプ、２は蛍光ランプ１を構成する直径６ｍｍ、厚さ０．５ｍｍの誘電体である鉛ガラス製の直状円筒状のガラスバルブ、ガラスバルブの内壁のほぼ半面には蛍光体層３が形成されており、残りの半面はランプ内部で発生した光をランプ外に照射する光出力部４となっている。５ａ、５ｂはそれぞれ幅５ｍｍの導電体である外部電極で、ガラスバルブ２の外壁に電極間距離０．８ｍｍで設けられている。ガラスバルブ２の内部にはキセノンを含む希ガスが封入される。
　【００１５】
　このような構成の蛍光ランプ装置について動作を説明する。高周波点灯回路はトランジスタインバータ等で構成され、２０〜２００ｋＨｚ程度の高周波電圧を発生し、外部電極５に印加される。外部電極５ａ及び５ｂの間には放電が発生し、その際発生した紫外線は蛍光体層３を励起し、蛍光体によって決定される可視光に変換される。蛍光体から発生した可視光は光出力部４から照射される。
　【００１６】
　以下、この放電の特徴について詳しく説明する。電圧は誘電体であるガラスバルブを介して、すなわち外部電極と放電ガスの容量結合によりランプ内部に印加される。放電電流は誘電体により制限され、グロー放電からアーク放電といった形態には発展しない。また特定の場所に放電が集中せず、外部電極に面したガラスバルブ内面全体から放電が発生する。放電は外部電極間に電圧を印加し、ランプ内部が放電可能な電界になると開始する。その後、放電により発生した電子やイオンなどの電荷がガラスバルブ表面に蓄積し、その結果、ランプ内部の電界が弱まり放電を持続することができなくなり、放電が停止する。このため、電流は印加した電圧の極性が反転した直後に多く流れ、電流はほぼパルス状になる。ランプ内部の放電状態を詳細に観察すると、外部電極に面したガラスバルブ内面全体がほぼ一様な光に覆われており、さらに対となる電極間に糸状の放電が多数発生しているのが見られる。
　【００１７】
　図２、図３は蛍光ランプ１にキセノン１００％のガスと容積比でキセノン２０％、ネオン８０％の混合ガスを封入した場合の特性を示したものである。図２はキセノンの圧力と放電開始電圧および最小維持電圧の関係を示したものである。ここで最小維持電圧とは、放電を継続するための最低の電圧である。図２よりキセノンの圧力が高いほど電圧が上昇することが分かる。このためキセノンの圧力を１気圧に近づけることは、放電に必要な電圧が上昇するために好ましくない。しかしキセノン１００％のガスとキセノン２０％のガスでは、全体の圧力では５倍も異なるにもかかわらず、キセノンの圧力が同じであれば放電開始電圧および最小維持電圧はほとんど同じであることが分かる。
　【００１８】
　図３はキセノンの圧力と輝度の関係を示したものである。キセノンの圧力が高いほど、輝度は高くなる。ただし２００Ｔｏｒｒではほぼ飽和する。またこの図より広い範囲にわたって、キセノン１００％のガスとキセノン２０％の混合ガスはキセノンの圧力が同じであればほとんど同じ輝度を示すことが分かる。このような現象は、ネオンの電離電圧や励起電圧が、キセノンに比べてかなり高いため、励起や電離を伴う非弾性衝突は、ほとんどキセノンのみに発生するためである。
　【００１９】
　図２、図３より混合ガスを用いることによって放電に必要な電圧を上げることなく、また輝度を低下させることなく全体の圧力を大幅に増加可能である。ただしキセノンの圧力が、あまりに低いと十分な輝度が得られないため最低２０Ｔｏｒｒ程度必要である。またキセノンの圧力が２００Ｔｏｒｒ程度で、輝度が飽和するため、それ以下の圧力がよい。また従来のキセノンの圧力は数十Ｔｏｒｒであるため、ランプの中と外では約１気圧の圧力差があった。この圧力差による破損の可能性を軽減するためには、この圧力差を１／２以下にすることが望ましい。このため全体の圧力としては４００Ｔｏｒｒ以上７６０Ｔｏｒｒ以下がよい。
　【００２０】
実施例２．
　直径３ｍｍ、厚さ０．３ｍｍのガラスバルブを用いた蛍光ランプ１にキセノン２０％とクリプトン、アルゴン、ネオン、ヘリウムをそれぞれ８０％混合したガスを５００Ｔｏｒｒ封入した。導電体５は幅２．５ｍｍ、間隔０．４ｍｍとした。これらのランプの特性を表１に示す。
　【００２１】
　表１より原子量の小さい希ガスを混合したものほど、キセノン単独の場合の特性に近い特性を示すことが分かる。特にネオンとヘリウムの混合ガスは混合による影響が少なく、混合するガスとして好ましいことが分かる。これは原子量の小さな希ガスほどキセノンとの電離電圧、励起電圧の差が大きいためと考えられる。
　【００２２】
実施例３．
　図４はガラスバルブの端部を加熱溶融して封止する工程を示す図である。図４（ａ）においてガラスバルブ２は下の一端が閉塞されており、上の端部は開口している。図示しないが上の端部はガスボンベに接続されている。上の端部からキセノンガス３０％であるネオンとキセノンの混合ガスを５００Ｔｏｒｒ導入した後、ガスバーナー１０で局部的に加熱する。加熱された部分がガラスの軟化点以上になると図４（ｂ）のようにガラスが変形を始める。さらに図４（ｃ）のように加熱をしながらガラスバルブを下方に引くことによって加熱部分は溶融し端部が閉塞される。
　【００２３】
　ガラスバルブはバルブ内部と外部の圧力差により、加熱部分が内側にへこむ形に変形する。圧力差が１気圧に近い状態では、内側に大きくへこみ、発光に寄与しない部分が生じる。この実施例の場合は内部と外部の圧力差が小さいため変形の速度が遅く、かつ変形の程度が少ない。このため端部ぎりぎりまで発光させることができる。原理的には内部と外部の圧力差が０のときに最も変形が少ない。ただしガラスバルブを加熱することによって、内部のガスが加熱され、圧力が上昇するため、封入するガスの圧力は１気圧より低いことが必要である。適切な封入ガスの圧力は、加熱条件によって決まる。この実施例では、加熱熔着にガスバーナーを使用しているが、レーザーを使用すれば短時間に局部的な加熱で済むため、ほぼ１気圧のガスを封入することができる。
　【００２４】
　【発明の効果】
　この発明は、
内壁に蛍光体を有し、外壁に一対以上の電極を有する透明な誘電体容器の内部に放電ガスを封入し、上記電極に高周波電圧を印加する容量結合式の蛍光ランプにおいて、
　【００２５】
　キセノンと他の希ガスの混合ガス
を４００乃至７６０Ｔｏｒｒ封入して使用したので、キセノンが最も電離電圧、励起電圧が低いため、キセノンのみが選択的に励起されて紫外線を放射し、キセノン単独の場合とあまり変わらない電圧で点灯し、ほぼ同じ輝度が得られる。またランプ内部と外部の圧力が近いため、誘電体容器に加わる圧力が小さく破損しにくい。
　
また、希ガスのうちネオンやヘリウムはキセノンに比べて原子量がかなり小さいため、キセノンとの衝突による影響が少なく、大量に封入しても放電に必要な電圧や輝度に殆ど影響せず、さらに、キセノンを２０乃至２００Ｔｏｒｒとしたので、輝度を低下することなく、
【図面の簡単な説明】
　【図１】　この発明の実施例１を示す蛍光ランプの斜視図である。
　【図２】　この発明の実施例１を示すキセノンの圧力と放電開始電圧、最小維持電圧の関係を示す図である。
　【図３】　この発明の実施例１を示すキセノンの圧力と輝度の関係を示す図である。
　【図４】　この発明の実施例３を示すランプの封止工程を示す図である。
　【図５】　従来の蛍光ランプを示す図である。
　【符号の説明】
　１　蛍光ランプ
　２　ガラスバルブ
　３　蛍光体層
　５　外部電極